(57)【特許請求の範囲】
【請求項１】
外周形状が長手方向の全長又は略全長にわたって同一で且つ内周形状が長手方向の全長又は略全長にわたって同一の竪樋本体の厚みの範囲にアンテナ部を設け、筒状で、その上端部を他の竪樋、エルボ、あるいは接続筒に対しその中心軸を中心に回して接続することでアンテナ部の向きを調整可能であることを特徴とするアンテナ付き竪樋。
【請求項２】
前記竪樋本体の内面に前記アンテナ部が存在することを特徴とする請求項１記載のアンテナ付き竪樋。
【請求項３】
前記竪樋本体の外面に前記アンテナ部が存在することを特徴とする請求項１記載のアンテナ付き竪樋。
【請求項４】
前記竪樋本体の厚み方向の中間部に前記アンテナ部が存在することを特徴とする請求項１記載のアンテナ付き竪樋。
【発明の詳細な説明】
【技術分野】
【０００１】
本発明は、アンテナ付き竪樋に関するものである。
【背景技術】
【０００２】
特許文献１は、軒樋の外面に、アンテナ部を貼り付けたアンテナ付き軒樋を開示している。
【０００３】
また、特許文献２は、竪樋の外面の長手方向の一部に、竪樋とは別体のアンテナ部、伝送線路トラップ部、絶縁体筒を挟んだ給電部を外に膨出するようにねじを用いて取付けたものを開示している。
【先行技術文献】
【特許文献】
【０００４】
【特許文献１】特開平３−８４１５６号公報
【特許文献２】特開平１−１６８１０１号公報
【発明の概要】
【発明が解決しようとする課題】
【０００５】
前記特許文献１のアンテナ付き軒樋は、建物の軒先に沿って取付けられる。しかしながら、建物の軒先の向きは、施工現場毎に様々に異なるため、アンテナ部の向き（指向性）が現場ごとにすべて異なる。しかしながら、軒樋は建物の軒先に対して常に一定の関係、つまり、軒樋と軒先とがほぼ平行で且つ軒樋の上開口が必ず上方を向いて軒先からの雨水の流入に支障がないように施工する必要がある。
【０００６】
このため、放送電波の受信方向の調整をするため、軒樋を動かして軒先に対する位置関係を変えることはできず、多くの現場では軒先にアンテナ付き軒樋を施工しても、放送電波を正確に受信するのが困難となる。
【０００７】
したがって、アンテナ付き軒樋は、軒先が放送電波の受信方向を向いている現場でしか使用できない。
【０００８】
特許文献２の従来例は、竪樋の長手方向の一部の外面から外部に竪樋とは異なる別体のアンテナ部、伝送線路トラップ部、絶縁体筒を挟んだ給電部が膨出する。このため、竪樋の外面から異物が突出した外観となり、違和感があり、外周形状が長手方向の全長で同じ形状をしているという竪樋としての外観が損なわれる。また、ねじにより取付けるので、ねじが外部に露出していっそう外観が損なわれ、更に、ねじによる取付け作業が必要である。
【０００９】
更に、ねじが緩むとアンテナ部の向きが変わり、放送電波の受信が不安定となる。
【００１０】
また、竪樋の外面の一部から別体のアンテナ部、伝送線路トラップ部、絶縁体筒を挟んだ給電部が膨出するので、膨出部分に人や物が引っ掛かり、損傷しやすい。
【００１１】
本発明は、上記の従来例の問題点に鑑みて発明したもので、竪樋としての外観及び排水の機能を損なわず、放送電波の受信方向の調整が容易にできるアンテナ付き竪樋を提供することにある。
【課題を解決するための手段】
【００１２】
本発明のアンテナ付き竪樋は、外周形状が長手方向の全長又は略全長にわたって同一で且つ内周形状が長手方向の全長又は略全長にわたって同一の竪樋本体の厚みの範囲にアンテナ部を設け、筒状で、その上端部を他の竪樋、エルボ、あるいは接続筒に対しその中心軸を中心に回して接続することでアンテナ部の向きを調整可能であることを特徴とする。
【００１３】
ここで、前記竪樋本体の内面に前記アンテナ部が存在することが好ましい。
【００１４】
また、前記竪樋本体の外面に前記アンテナ部が存在することが好ましい。
【００１５】
また、前記竪樋本体の厚み方向の中間部に前記アンテナ部が存在することが好ましい。
【発明の効果】
【００１６】
本発明は、竪樋としての外観を保ち、竪樋としての外観に違和感がなく、建物の外観を損なわない。また、竪樋本来の排水機能も損なわない。現場で施工する際、アンテナ部の向きを受信に適した向きに簡単に調整できる。
【図面の簡単な説明】
【００１７】
【図１】本発明のアンテナ付き竪樋の一実施形態の概略斜視図である。
【図２】同上のアンテナ付き竪樋の他の実施形態の概略斜視図である。
【図３】同上のアンテナ付き竪樋の更に他の実施形態の概略斜視図である。
【図４】図１に示すアンテナ付き竪樋の施工状態を示す概略側面図である。
【図５】図２に示すアンテナ付き竪樋の施工状態を示す概略側面図である。
【図６】図３に示すアンテナ付き竪樋の施工状態を示す概略側面図である。
【図７】アンテナ付き竪樋の一例を示す横断面図である。
【図８】アンテナ付き竪樋の他例を示す横断面図である。
【図９】アンテナ付き竪樋の更に他例を示す横断面図である。
【図１０】アンテナ付き竪樋の更に他例を示す横断面図である。
【図１１】竪樋本体の長手方向の端部に接続筒部を形成した例を示す断面図である。
【発明を実施するための形態】
【００１８】
以下、本発明を添付図面に示す実施形態に基づいて説明する。
【００１９】
アンテナ付き竪樋３は、竪樋本体１の厚み内に放送電波を受信するためのアンテナ部２を設けて構成している。
【００２０】
竪樋本体１は、外周形状が長手方向の全長又は略全長にわたって同一となり、且つ、内周形状が長手方向の全長又は略全長にわたって同一となった筒状をしており、一般的な竪樋と同じ外観、形状をしていると共に、同じ排水性能を有している。
【００２１】
図１には長尺の竪樋本体１の長手方向の全長又は略全長にアンテナ部２を設けてアンテナ付き竪樋３を構成した例を示している。
【００２２】
また、図２には長尺の竪樋本体１の長手方向の一部にアンテナ部２を設けてアンテナ付き竪樋３を構成した例を示している。
【００２３】
また、図３には短尺の竪樋本体１にアンテナ部２を設けてアンテナ付き竪樋３を構成した例を示している。
【００２４】
ここで、前記図１、図２に示す長尺のアンテナ付き竪樋３は、一般的な竪樋と同じ長さとなっている。
【００２５】
一般的な竪樋は、建物の一階の軒先付近から地面近くまでの長さとなった長尺のものであり、通常は、建物の一階の壁に沿ってこの１本の長尺の竪樋を縦に配置するようになっている。
【００２６】
したがって、前記図１、図２に示す長尺のアンテナ付き竪樋３は、この一般の竪樋と同じ長さ、例えば、２７００ｍｍ程度の長さであり、従来と同様に１本の長尺のアンテナ付き竪樋３が図４、図５に示すように、建物の外壁１５に沿って縦に配置するように施工される。
【００２７】
図３に示す短尺のアンテナ付き竪樋３は、建物の外壁１５に沿って、他の短尺の一般の竪樋１４と接続して縦に配置される。
【００２８】
図１乃至図３のいずれのタイプのアンテナ付き竪樋３においても、アンテナ部２は竪樋本体１の厚みの範囲に設けてある。
【００２９】
アンテナ部２を竪樋本体１の厚みの範囲に設けるには、図７乃至図１０のいずれかの断面構成となるように設ける。
【００３０】
すなわち、図７、図１０は、竪樋本体１の厚み方向の中間部分にアンテナ部２を設ける例を示している。また、図８は、竪樋本体１の厚み方向の内面にアンテナ部２を設ける例を示している。更に、図９は、竪樋本体１の厚み方向の外面にアンテナ部２を設ける例を示している。
【００３１】
まず、図７に示す例を説明する。
【００３２】
図７に示すアンテナ付き竪樋３は、合成樹脂により形成される筒状の竪樋本体１の厚み内にアンテナ部２を埋設して構成している。
【００３３】
本実施形態においては、竪樋本体１を合成樹脂により形成する際に、アンテナ部２を竪樋本体１の厚み内にインサートして成形するもので、インサート成形により長尺のアンテナ付き竪樋３を成形でき、生産性が向上する。
【００３４】
また、アンテナ部２が竪樋本体１内に埋設されるので、外面及び内面にアンテナ部２が露出せず、アンテナ付き竪樋３の外観が一般の竪樋と同じ外観となると共に、アンテナ部２の両面が合成樹脂で保護され、雨水、太陽光、外気に晒されることがなく、アンテナ部２の劣化を防止できる。更に、アンテナ付き竪樋３に外部から物が当たったり引っ掛かったりしてアンテナ部２が損傷するというようなことがない。
【００３５】
次に、図８に示す例を説明する。
【００３６】
図８に示すアンテナ付き竪樋３は、合成樹脂により形成される筒状の竪樋本体１の内面にアンテナ部２を設けて構成している。
【００３７】
本実施形態のアンテナ付き竪樋３は、例えば、アンテナ部２の外側に合成樹脂を被覆することで筒状のアンテナ付き竪樋３を形成することができる。
【００３８】
また、合成樹脂により形成した筒状の竪樋本体１の内面にアンテナ部２を接着して、内面にアンテナ部２を有する筒状のアンテナ付き竪樋３を形成してもよい。
【００３９】
また、合成樹脂により形成した筒状の竪樋本体１の内面にアンテナパターンフィルムを貼付けることで、内面にアンテナ部２を有する筒状のアンテナ付き竪樋３を形成してもよい。
【００４０】
また、合成樹脂により形成した筒状の竪樋本体１の内面にアンテナパターンを塗装することで、内面にアンテナ部２を有する筒状のアンテナ付き竪樋３を形成してもよい。
【００４１】
また、合成樹脂により形成した筒状の竪樋本体１の内面にアンテナパターンを印刷することで、内面にアンテナ部２を有する筒状のアンテナ付き竪樋３を形成してもよい。
【００４２】
また、合成樹脂の筒状体の内面に金属薄板をインサートしてアンテナ付き竪樋３を形成し、アンテナ付き竪樋３の内面の金属薄板をエッチング加工してアンテナ部２を形成することで、内面にアンテナ部２を有する筒状のアンテナ付き竪樋３を形成してもよい。
【００４３】
上記のような各方法で形成する図８に示すアンテナ付き竪樋３は、外面にアンテナ部２が露出しないので、アンテナ付き竪樋３の外観が一般の竪樋と同じ外観となると共に、外部から物が当たったり引っ掛かったりしてアンテナ部２が損傷するのを防止できる。
【００４４】
次に、図９に示す例を説明する。
【００４５】
図９に示すアンテナ付き竪樋３は、合成樹脂により形成される筒状の竪樋本体１の外面にアンテナ部２を設けて構成している。
【００４６】
本実施形態のアンテナ付き竪樋３は、例えば、アンテナ部２の内側に合成樹脂を被覆することで筒状のアンテナ付き竪樋３を形成することができる。
【００４７】
また、合成樹脂により形成した筒状の竪樋本体１の外面にアンテナ部２を接着して、外面にアンテナ部２を有する筒状のアンテナ付き竪樋３を形成してもよい。
【００４８】
また、合成樹脂により形成した筒状の竪樋本体１の外面にアンテナパターンフィルムを貼付けることで、外面にアンテナ部２を有する筒状のアンテナ付き竪樋３を形成してもよい。
【００４９】
また、合成樹脂により形成した筒状の竪樋本体１の外面にアンテナパターンを塗装することで、外面にアンテナ部２を有する筒状のアンテナ付き竪樋３を形成してもよい。
【００５０】
また、合成樹脂により形成した筒状の竪樋本体１の外面にアンテナパターンを印刷することで、外面にアンテナ部２を有する筒状のアンテナ付き竪樋３を形成してもよい。
【００５１】
また、合成樹脂の筒状体の外面に金属薄板をインサートしてアンテナ付き竪樋３を形成し、アンテナ付き竪樋３の外面の金属薄板をエッチング加工してアンテナ部２を形成することで、外面にアンテナ部２を有する筒状のアンテナ付き竪樋３を形成してもよい。
【００５２】
上記のような各方法で形成する図９に示すアンテナ付き竪樋３は、外面にアンテナ部２を形成するので、アンテナ部２の形成が容易となる。
【００５３】
次に、図１０に示す例を説明する。
【００５４】
図１０は、竪樋本体１を、合成樹脂により形成した内筒体５とこの内筒体５に外嵌する合成樹脂により形成した外筒体６との二重筒構造とし、竪樋本体１の内筒体５と外筒体６との間にアンテナ部２を設けてアンテナ付き竪樋３を構成した例である。
【００５５】
例えば、内筒体５外面又は外筒体６の内面にアンテナ部２を接着し、内筒体５を外筒体６に嵌め込むことで二重筒構造の竪樋本体１を構成すると共に、内筒体５と外筒体６の間にアンテナ部２を設けた筒状のアンテナ付き竪樋３を形成する。
【００５６】
また、内筒体５外面又は外筒体６の内面にアンテナパターンフィルムを貼付け、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００５７】
また、内筒体５外面又は外筒体６の内面にアンテナパターンを塗装することでアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００５８】
また、内筒体５外面又は外筒体６の内面にアンテナパターンを印刷することでアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００５９】
また、合成樹脂の筒状体の外面に金属薄板をインサートしてアンテナ付き内筒体５を形成するか、又は合成樹脂の筒状体の内面に金属薄板をインサートしてアンテナ付き外筒体６を形成し、更に金属薄板をエッチング加工してアンテナ部２を形成し、内筒体５を外筒体６に嵌め込むことで二重筒構造の竪樋本体１を構成すると共に、内筒体５と外筒体６の間にアンテナ部２を設けた筒状のアンテナ付き竪樋３を形成してもよい。
【００６０】
上記のような各方法で形成する図１０に示すアンテナ付き竪樋３は、内筒体５を外筒体６に嵌め込んだ二重筒構造の竪樋本体１の内筒体５と外筒体６との間にアンテナ部２を設けているので、竪樋本体１の外面及び内面にアンテナ部２が露出しない。
【００６１】
したがって、アンテナ付き竪樋３の外観が一般の竪樋と同じ外観となると共に、アンテナ部２が内筒体５と外筒体６とで保護されて雨水、太陽光、外気に晒されることがなく、アンテナ部２の劣化を防止できる。更に、アンテナ部２が外筒体６で覆われるので、アンテナ付き竪樋３に外部から物が当たったり引っ掛かったりしても、アンテナ部２が損傷するというようなことがない。
【００６２】
また、内筒体５の外面又は外筒体６内面にアンテナ部２を設けて、内筒体５を外筒体６に嵌め込むので、インサート成形によることなく、アンテナ部２を筒状の竪樋本体１の厚み方向の中間部分に簡単に形成できる。
【００６３】
また、二重筒構造とすることで、外筒体６のみ耐候性に優れた材料で形成することが可能で、竪樋本体１全体を耐候性に優れた材料で形成する場合に比べ、耐候性に優れた竪樋本体１を安価に形成できる。
【００６４】
上記いずれの実施形態においても、竪樋本体１は外周形状が長手方向の全長にわたって同一となり、且つ、内周形状が長手方向の全長にわたって同一の例を示しているが、上下方向の端部が他の部分に比べて小径、又は大径の接続部７となっていてもよい。
【００６５】
図１１には上下方向の両端部に径の異なる接続部７を設けた例を示しており、接続部７には通常の竪樋、又は、エルボあるいは直管状接続筒等を接続する。なお、図示を省略しているが、上下方向のいずれか一方の端部に径の異なる接続部７を設けてもよい。
【００６６】
なお、図示を省略しているが、前記各アンテナ付き竪樋３は、アンテナ部２に給電部が設けられる。この給電部にはテレビに接続するための同軸ケーブルが接続され、アンテナ付き竪樋３外に導出される。
【００６７】
前記の各アンテナ付き竪樋３は、現場で、図４、図５、図６のように施工される。
【００６８】
図４、図５においては、軒樋８の集水器９にエルボ１０を介して呼び樋１１を接続し、呼び樋１１にエルボ１２を介して図１又は図２に示す長尺のアンテナ付き竪樋３の上端部を接続している。アンテナ付き竪樋３の下端部は必要に応じて地表部分に形成する排水筒１３に接続しても良い。
【００６９】
また、図６においては、呼び樋１１にエルボ１２を介して、又は、エルボ１２、短尺の一般の竪樋１４を介して、図３に示す短尺のアンテナ付き竪樋３を接続し、更に、短尺のアンテナ付き竪樋３の下端に別の短尺の一般の竪樋１４を接続している。この実施形態においても、下の短尺の一般の竪樋１４の下端部は必要に応じて地表部分に形成する排水筒１３に接続しても良い。
【００７０】
ここで、いずれの実施形態においても、アンテナ付き竪樋３を現場施工する際、現場の状況に対応して筒状のアンテナ付き竪樋３の中心軸を中心にしてアンテナ付き竪樋３を回すことで、アンテナ部２の向きを調整して放送電波の受信方向を調整できる。そして、受信方向を調整した状態で接着剤等により固定する。
【００７１】
上記各例は、竪樋本体１が円筒状をしている例を示しているが、竪樋本体１が角筒状をしていてもよい。角筒状の場合も、接続の際に角筒状のアンテナ付き竪樋３の向きを所定角度（四角筒状の場合は９０°）ずつ回して嵌め込み接続することで、アンテナ部２の向きを調整して放送電波の受信方向を調整できる。
【符号の説明】
【００７２】
１  竪樋本体
２  アンテナ部
３  アンテナ付き竪樋
【図１】
0005597098.tif 000002
【図２】
0005597098.tif 000003
【図３】
0005597098.tif 000004
【図４】
0005597098.tif 000005
【図５】
0005597098.tif 000006
【図６】
0005597098.tif 000007
【図７】
0005597098.tif 000008
【図８】
0005597098.tif 000009
【図９】
0005597098.tif 000010
【図１０】
0005597098.tif 000011
【図１１】
0005597098.tif 000012